(57)【要約】      （修正有）【課題】  通気洞内に結露が発生した場合でも、該結露による水が室内側へ流入しない屋根パネルを提供する。【解決手段】  建物の屋根の垂木（１２０）による枠組みに配置され、矩形に形成された野地板（１５０）と、野地板の下面に取り付けられる断熱材（２６０）とを具備する屋根パネル（２５０）であって、断熱材の上面と野地板の下面との間に、垂木と平行な方向に貫通して設けられた通路である通気洞（２６５）と、通気洞の底面に水をとどめる貯留手段とを備え、通気洞内に発生した結露による水が、貯留手段に留まることにより、水の屋根の室内側への流入が防止されることを特徴とする。【選択図】      図３
2006257721.tif 000002
【特許請求の範囲】
【請求項１】
建物の屋根の垂木による枠組みに配置され、矩形に形成された野地板と、前記野地板の下面に取り付けられる断熱材とを具備する屋根パネルであって、
前記断熱材の上面と前記野地板の下面との間に、前記垂木と平行な方向に貫通して設けられた通路である、通気洞と、
前記通気洞の底面に水をとどめる貯留手段と、を備え、
前記通気洞内に発生した結露による水が、前記貯留手段に留まることにより、前記水の屋根の室内側への流入が防止されることを特徴とする、屋根パネル。
【請求項２】
前記断熱材が、水を通し難い材料により形成されるとともに、
前記貯留手段が、前記断熱材の上面に設けられ、前記垂木の方向と直交した方向の溝又は突起であることを特徴とする請求項１に記載の屋根パネル。
【請求項３】
前記溝及び／又は突起が、前記断熱材の前記垂木と平行した方向に複数配置されていることを特徴とする請求項２に記載の屋根パネル。
【発明の詳細な説明】
【技術分野】
【０００１】
本発明は、木造建築物の屋根部分に好適に用いられる断熱パネルに関する。
【背景技術】
【０００２】
木造住宅等の建物において、断熱性を確保することは、建物に要求される最も重要な事項の１つである。そのために建物のあらゆる場所に断熱材や断熱パネルが用いられている。
【０００３】
木造建物の屋根にも断熱性は要求され、多くの建物の屋根に断熱パネルが適用されている。屋根はその性質上、天候等の影響を大きく受ける部位である。特に冬場においては、建物内部では暖房を利用して室内が暖かい一方で、屋外は非常に気温が低い。このようなとき、結露が発生し、水滴が壁面等に付着する。さらに程度が激しくなると下方へ流れ始めるといった現象が見られる。屋根についても結露は例外なく発生する。しかも上述したように屋根は外気の影響を大きく受ける場所にあるので、結露の程度も激しい場合が少なくない。さらには、屋根は外壁と異なり、垂直には設けることができず、傾斜を有してはいるものの、結露した水滴は外壁の水滴に比べて移動し難かったり、その場に留まったりする。  
【０００４】
以上のように生じた水が、屋根の構造部材である木材に接している場合には、木材の腐朽を促進させたり、隙間から天井へ、さらには室内へ落ち込み、内装材にしみをつけたりするなどの不具合をもたらしていた。このような状況を改善するため、屋根の断熱パネルに通気孔を設ける構造が特許文献１に開示されている。    
【特許文献１】特開２００４−３３２２７６号公報
【発明の開示】
【発明が解決しようとする課題】
【０００５】
特許文献１（特許文献１の図１参照。）において、断熱パネルの構造が断面図により示されている。これによると、屋根パネルは、屋根の枠組みの１つである垂木に取り付けられ、垂木の上面に接して配置される野地板と、該野地板の下面にその上面を接して取り付けられる断熱材とを備えている。該断熱材は垂木と垂木との間に配設される。また、一枚の野地板には複数の断熱材が取り付けられている。断熱材の上面と野地板の下面との間には間隔が設けられており、該間隔は断熱材の垂木と平行な方向に貫通している。従って、複数の断熱材が垂木と垂木との間に連続的に配置された場合、屋根の棟部分から軒へと貫通する空気通路である通気洞を形成する。該通気洞は、その中に空気が流通することにより、屋根に使用される部材に生じる温度差を緩和するとともに、換気の役割を有し、その結果として結露を防止している。
【０００６】
しかし、通気洞を設けたにもかかわらず、特に冬季の環境条件により通気洞内部に突出した仕上げ剤や留め付け用の釘等で結露を起こし、結露した水が室内へ流入してしまう場合があるという問題があった。また、周囲環境により、通気洞内の空気の流通が不十分となり、結露を生じ、結露した水が室内へ流入してしまう場合があるという問題もあった。
【０００７】
そこで、本発明は、通気洞内に結露が発生した場合においても、結露した水が室内側へ流入しない屋根パネルを提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。  
【０００９】
請求項１に記載の発明は、建物の屋根の垂木（１２０）による枠組みに配置され、矩形に形成された野地板（１５０）と、野地板の下面に取り付けられる断熱材（２６０）とを具備する屋根パネル（２５０）であって、断熱材の上面と野地板の下面との間に、垂木と平行な方向に貫通して設けられた通路である通気洞（２６５）と、通気洞の底面に水をとどめる貯留手段（２７０）とを備え、通気洞内に発生した結露による水が、貯留手段に留まることにより、水の屋根の室内側への流入が防止されることを特徴とする屋根パネルを提供することにより上記課題を解決する。
【００１０】
請求項２に記載の発明は、請求項１に記載の屋根パネル（２５０）で、断熱材（２６０）が、水を通し難い材料により形成されるとともに、貯留手段（２７０）が、断熱材の上面に設けられ、垂木（１２０）の方向と直交した方向の溝又は突起であることを特徴とする。
【００１１】
請求項３に記載の発明は、請求項２に記載の屋根パネル（２５０）で、溝及び／又は突起が、断熱材（２６０）の垂木（１２０）と平行した方向に複数配置されていることを特徴とする。
【発明の効果】
【００１２】
請求項１の発明によれば、建物屋根部分の枠組み構造である垂木に配置された本発明の屋根パネルは、通気洞の底面に水の貯留手段を有している。これによって、通気洞内に発生した水を貯留手段により保持できるので、水はそれ以上移動せず、室内側へ流入することはない。また、水は断熱材に接し、野地板等の構造木材部分にはないので、これら木材の腐朽の促進を防止できる。
【００１３】
請求項２の発明によれば、請求項１に記載の断熱材が、水を通し難い材質であるとともに、通気洞の底面が断熱材の上面であり、該断熱材を直接加工した貯留手段を有しているので、他の追加部材を必要とせず、効率的に水の貯留が可能である。
【００１４】
請求項３の発明によれば、請求項２に記載の貯留のための溝及び／又は突起が複数備えられることにより、より多くの水を保持することができる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。  
【００１７】
図１は、本発明の１つの実施形態にかかる屋根パネル２５０を備えている建物１００を屋根部２００の構造がわかるように示した斜視図である。図１では、理解しやすさのため、適宜部材を省略し、構造が見えるようにしてある。建物１００の屋根部２００は、柱１４１、１４２、１４３（不図示）、１４４によって支えられている。実際には建物１００はさらに多くの柱を有し、屋根部２００を支えているが、図１においては省略している。屋根部２００は、２本の柱１４２、１４４の配置される方向に平行で、柱１４１と柱１４２との略中心であり、さらに柱１４１、１４２、１４３、１４４の上端よりも高い位置に配置された棟木１４０を有している。そして、該棟木１４０に平行で、棟木１４０から所定の間隔で、棟木１４０から離れるに伴いより低い位置に配置される複数の母屋梁１１０、１１０、・・・が配置される。さらには、平行に配置された棟木１４０と母屋梁１１０、１１０、・・・に対して直交する格子状となるように垂木１２０、１２０、・・・が棟木１４０及び母屋梁１１０の上方に取り付けられる。以上により、屋根部２００の枠組みが形成されている。そして、複数の本発明の屋根パネル２５０が、該枠組みのさらに上方に備えられる。
【００１８】
次に屋根パネル２５０の構造を説明する。図２は、屋根に取り付けられた複数の屋根パネル２５０のうちの１つの屋根パネル２５０に注目して示した上方からの斜視図である。図２において紙面左上側が棟、紙面右下側が軒の方向である。野地板１５０の下方に取り付けられた断熱材２６０、２６０、２６０が見えるように野地板１５０の一部を切り欠いて示している。図２に示したように、屋根パネル２５０は、矩形の板状である１枚の野地板１５０と、該野地板１５０の下面に取り付けられた、矩形の板状ではあるが板厚が大きい断熱材２６０、２６０、・・・を主要部材として備えている。１枚の野地板１５０には、断熱材２６０、２６０、・・・を母屋梁１１０の方向に４枚、それをさらに垂木の方向に２列備えているので、合計８枚の断熱材２６０が取り付けられている。断熱材２６０は垂木１２０と垂木１２０の間に配置されている。１枚の野地板１５０に取り付けられる断熱材２６０の数は、８枚に限られず、適用される屋根部の構造に応じて適宜枚数を変更しても良い。
【００１９】
図３は、図２にＡ−Ａで示した線の位置における屋根部の断面図である。前述のように、屋根パネル２５０は、野地板１５０と該野地板１５０の下面に取り付けられた断熱材２６０とを有している。断熱材２６０は、垂木１２０と垂木１２０の間に配置される。断熱材２６０の上面は、凹状になっており、幅方向端部が突出している形状となっている。該形状を有する断熱材２６０の上面に野地板１５０の下面を取り付けると、断熱材２６０は、断熱材２６０の幅方向端面突出部の上面２６２、２６３のみが野地板１５０に接して設置されることになる。よって野地板１５０は、その下面を垂木１２０の上面、断熱材の上面２６２、２６３と接して、屋根部に取り付けられる。一方、断熱材２６０の突出していない他の上面２６４は、野地板１５０とは接しない。これにより、上面２６４と野地板１５０の下面が間隔を形成し、該間隔が断熱パネル２５０の垂木１２０方向に貫通した空気の通路である通気洞２６５を形成する。通気洞２６５は、垂木１２０と平行な方向に隣り合う屋根パネルの通気洞に連結し、最終的に、棟部分と軒部分とに開口を有する１つの空気通路が形成される。
【００２０】
さらに、断熱材２６０の構造を詳細に説明する。図４は、断熱パネル２６０の一部を上方からみた斜視図である。図中直線矢印で示した方向が垂木１２０に平行な方向である。図４に示したように、野地板１５０の下面と接する面２６２、２６３の外側には、垂木１２０と平行な方向に溝２７１及び溝２７２が設けられている。さらに該溝２７１、２７２の外側には略鉛直に部材２７３、２７４が配置されている。これら溝２７１、２７２により、部材２７３、２７４が、溝２７１、２７２の幅を限度として、断熱材２７０の幅方向内側に移動可能となる。これにより、断熱材２７０の幅と垂木１２０の間隔との差を無くし、断熱材２７０を垂木１２０と垂木１２０との間に好適に配置できる。
【００２１】
また、断熱材２６０の野地板１５０の下面と接しない上面２６４（該上面は通気洞２６５の底面に相当する。）には、垂木１２０の方向と直交する方向に貯留溝２７０、２７０、２７０が設けられている。貯留溝２７０の詳細は後で説明する。
【００２２】
図５は断熱材２６０の上面図及び断面図である。図５（ａ）は断熱材２６０の上面図、図５（ｂ）は、図５（ａ）にＤ−Ｄで示した線の位置における断面図、図５（ｃ）は図５（ａ）にＥ−Ｅで示した線の位置における断面図である。また、図５（ａ）中に示した破線矢印の方向が垂木１２０の方向である。断熱材２６０には、野地板１５０の下面と接しない上面２６４（該上面は通気洞２６５の底面に相当する。）に、垂木１２０の方向と直交する方向に６つの貯留溝２７０が設けられている。貯留溝２７０は、図５（ｂ）からもわかるように、その両端部２７０ｂが他の部分２７０ａに比べて深い溝とされている。また、野地板１５０の下面と接する面２６２、２６３の幅方向外側には、垂木１２０と平行な方向に溝２７１及び溝２７２を有している。さらに断熱材２６０の上面側略中央には突起部２８０が備えられ、突起部２８０の上面２８０ａは、上面２６２、２６３と略同一の高さに位置している。従って、断熱材２６０を野地板１５０に取り付けるときには、上面２６２、２６３、２８０ａと野地板１５０の下面とが接するように配置し、固定する。固定の方法は特に限定されないが、例として接着剤、ビス、ねじ、釘、両面テープ等が挙げられる。
【００２３】
図６は、断熱材２６０の貯留溝２７０に結露による水が保持される様子を模式的に示した図である。図６は、図５のＥ−Ｅで示した線の位置における屋根パネル２５０の断面の一部に注目して示した図である。前述のように、屋根パネル２５０は、垂木１２０に接して取り付けられるので、傾斜して配置されている。図６では、紙面右上が棟、紙面左下が軒の方向である。この状態において、何らかの理由により結露による水滴３００が通気洞２６５の上面（野地板１５０の下面）に発生し、該水３００が重力等により通気洞２６５の下面（断熱材２６０の上面２６４）に落下した場合を考える。すると図６中に破線の矢印で示したように水滴３００は、野地板１５０の下面から断熱材２６０の上面２６４の上に落ち、さらに軒の方向へ移動して、貯留溝２７０で保持される。断熱材２６０は水を通し難い材質で作られているので、水滴３００は貯留溝２７０に安定して保持され、気温の上昇とともに蒸発してしまう。これにより、通気洞２６５内で発生した水滴３００は室内へ流入することなく、屋根材等の腐朽の促進や、内装のしみの発生を防止することができる。
【００２４】
水の生じる位置は、野地板１５０の下面に限らず、断熱材２６０の上面２６４であっても、水滴はそのまま軒の方向へ流れることにより貯留溝２７０に保持される。また、野地板１５０の下面に発生した水滴が、断熱材２６０の上面２６４に落下せずに軒の方向に移動していった場合には、通気洞２６５の軒部における開口から排出され、室内へ流入することはない。
【００２５】
屋根の傾斜角度は特に限定されるものではなく、通常に考えられる屋根のいずれの傾斜にも適用が可能である。また、断熱材２６０の材質は、断熱性及び水を通し難い性質の両方を兼ね備えた材料であれば良く、ポリスチレン、ウレタン等の合成樹脂発泡体が好適に用いられる。
【００２６】
貯留溝の形状に関しても、流入してきた水が保持できる形状であれば特に限定されるものではないが、貯留溝を深くした場合においては、断熱材に必要とされる強度を確保しなければならない。また、溝である必要はなく、突出した部材を備えることにより水を保持することもできる。この場合は、通気洞の空気の流通に与える影響を考慮した部材とする必要がある。さらには、溝や突起でなく、水を保持できるものを上面２６４に固定してもよい。
【００２７】
図７は、貯留溝２７０に流入した後の水滴３００の移動の様子を模式的に示した図で、図６の断熱材２６０部分についての上面図である。水滴３００の移動の様子を破線矢印で示した。図７に示したように、貯留溝２７０に流入した水滴３００は、貯留溝２７０のいずれか一方又は両方の端部２７０ｂに移動する傾向を有している。そこで、貯留溝２７０の両端部２７０ｂを他の部分２７０ａよりも深くすることにより、より多くの水を保持することができる。
【００２８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う屋根パネルもまた本発明の技術的範囲に包含されるものとして理解されなければならない。
【図面の簡単な説明】
【００２９】
【図１】１つの実施形態にかかる本発明の屋根パネルを備えている建物を屋根部の構造がわかるように示した斜視図である。
【図２】屋根に取り付けられた複数の屋根パネルのうちの１つの屋根パネルに注目して示した上方からの斜視図である。
【図３】図２にＡ−Ａで示した線の位置における屋根部の断面図である。
【図４】断熱パネルの一部を上方からみた斜視図である。
【図５】断熱材の上面図及び断面図である。
【図６】断熱材の貯留溝に結露による水が保持される様子を模式的に示した図である。
【図７】貯留溝に流入した後の水滴の移動の様子を模式的に示した図である。
【符号の説明】
【００３０】
１００  建物
１１０  母屋梁
１２０  垂木
１４０  棟木
１５０  野地板
２００  屋根
２５０  屋根パネル
２６０  断熱材  ２６５  通気洞
２７０  貯留溝
【図１】
2006257721.tif 000003
【図２】
2006257721.tif 000004
【図３】
2006257721.tif 000005
【図４】
2006257721.tif 000006
【図５】
2006257721.tif 000007
【図６】
2006257721.tif 000008
【図７】
2006257721.tif 000009